(57)【要約】【課題】変更可能又は調節可能な懸架システムを有するトレッドミルを提供する。【解決手段】トレッドミルであって、トレッドベース上に支持されたトレッドデッキと、トレッドデッキを緩衝し且つ利用者によってトレッドデッキ上に付与された衝撃荷重を吸収するためにトレッドデッキ下に配置され且つトレッドデッキと係合する１つ又は複数の緩衝部材とを含み、緩衝部材は、当該緩衝部材がトレッドベースに対して回転されるとき、トレッドデッキ上に異なる緩衝力を適用するための異なる弾性を含む。ロッドが、緩衝部材を支持するためにトレッドベースに配置される。１つ又は複数の歯車が、ロッドに取り付けられ且つトレッドベースのラックと係合してもよい。それによりロッド及び歯車が、ラックに対して移動するとき、トレッドベースに対してロッド及び緩衝部材を回転させる。【選択図】図４
0003125925.tif 000002
【実用新案登録請求の範囲】
【請求項１】
トレッドミルであって：
トレッドベースと、
該トレッドベース上に支持されるトレッドデッキと、
当該トレッドデッキを緩衝するため且つ利用者によって当該トレッドデッキ上に付与された衝撃荷重を吸収するために当該トレッドデッキに配置され且つ当該トレッドデッキと係合する少なくとも１つの緩衝部材と、
該少なくとも１つの緩衝部材を支持するために前記トレッドベースに滑動可能に受容され且つ支持されるロッドと、
を有し、
前記少なくとも１つの緩衝部材は、前記トレッドベースに対して該緩衝部材が回転されるとき当該トレッドデッキ上に異なる緩衝力を適用するための異なる弾性を含み、
前記トレッドベースは２つのサイドビームを含み、各サイドビームは前記ロッドの端部を受容するチャネルを有し、
前記ロッドは、該ロッド上に回転可能に配置され且つ前記少なくとも１つの緩衝部材に連結される少なくとも１つの歯車、及び前記トレッドベースに取り付けられ且つ前記少なくとも１つの歯車と係合する少なくとも１つのラックを含み、該ラックは、当該少なくとも１つの歯車が当該少なくとも１つのラックに対して移動されるとき、当該少なくとも１つの歯車及び当該少なくとも１つの緩衝部材を当該トレッドベースに対して回転させる、
トレッドミル。
【請求項２】
前記ロッドを前記トレッドベースに対して移動させる移動手段を更に含み、
当該移動手段は、前記トレッドベースに対して前記ロッドを移動させる前記ロッドと前記トレッドベースとの間に連結される作動器を含む、
請求項１記載のトレッドミル。
【請求項３】
前記少なくとも１つの緩衝部材は、異なる弾性を前記少なくとも１つの緩衝部材に形成する少なくとも１つの湾曲した開先を含む、
請求項１記載のトレッドミル。
【請求項４】
前記少なくとも１つの緩衝部材の前記少なくとも１つの湾曲した開先は、より幅広の端部からより狭い端部へと変化する深さを含む、
請求項３記載のトレッドミル。
【請求項５】
前記少なくとも１つの緩衝部材は、異なる弾性を前記少なくとも１つの緩衝部材に形成する２つの対向する湾曲した開先を含む、
請求項１記載のトレッドミル。
【考案の詳細な説明】
【技術分野】
【０００１】
本考案は、トレッドミルに係り、より詳細には、変更可能又は調節可能な懸架システムを有するトレッドミルであって、トレッドミルデッキを変更可能又は調節可能に支持し且つ調節可能な衝撃抑制を利用者に提供するトレッドミルに係る。
【背景技術】
【０００２】
典型的なトレッドミルは、ベースフレーム又はトレッドミルベースに支持されたトレッドミルデッキ、及び利用者を支持するためにトレッドミルデッキ周りに係合されたエンドレスベルトを備える。更に、弾性又は緩衝効果を利用者にもたらすため、ばね構造を、トレッドミルベースとトレッドミルデッキとの間に提供し且つ配置してもよい。
【０００３】
たとえば、Jensen他に付与された米国特許第５，８２７，１５５号明細書は、調節可能なばね構造を含む、典型的なトレッドミルの１つを開示している。その調節可能なばね構造は、滑動可能な調節バーとともに異なる弾性へと調整可能な、縦方向に伸びる板ばねを有する。しかしながら、調節バーは、トレッドミルベースに対して正確に移動又は調節できない場合があり、且つ利用者によって容易に調節又は操作できない場合もある。
【０００４】
Gureghian他に付与された米国特許第５，９９３，３５８号明細書は、別の典型的なトレッドミルを開示している。そのトレッドミルは、ばねマウントを有する調節可能又は制御可能な懸架システム、及び利用者による調節が可能な衝撃抑制をもたらす、制御可能な装置を備える。しかしながら、制御可能な懸架システムは、かなり複雑な構成を有するため、容易に製造することができず、商用目的には不都合である。
【０００５】
Moor他に付与された米国特許第６，０１３，０１１号明細書は、更なる典型的なトレッドミルを開示している。そのトレッドミルは、利用者によってデッキ上に与えられた衝撃荷重を吸収するための、調節可能な剛性を有する、複数の伸びばねを備える。しかしながら、伸びばねは、容易に異なる弾性へと調節することができない。
【０００６】
本考案は、トレッドミルの従来の懸架システムについて前述した不都合を、軽減且つ／又は除去するために生まれた。
【考案の開示】
【考案が解決しようとする課題】
【０００７】
本考案は、変更可能又は調節可能な懸架システムを含むトレッドミルであって、トレッドミルデッキを変更可能又は調節可能に支持し且つ利用者による調節が可能な衝撃抑制を提供するためのトレッドミル、をもたらすことを主な目的とする。
【課題を解決するための手段】
【０００８】
本考案の一態様によれば、
トレッドミルであって：
トレッドベースと、
トレッドベース上に支持されるトレッドデッキと、
トレッドデッキを緩衝するため且つ利用者によってトレッドデッキ上に付与された衝撃荷重を吸収するためにトレッドデッキに配置され且つトレッドデッキと係合する少なくとも１つの緩衝部材と、
を有し、
少なくとも１つの緩衝部材は、トレッドベースに対して緩衝部材が回転されるときトレッドデッキ上に異なる緩衝力を適用するための異なる弾性を含む、
トレッドミルを提供する。
【０００９】
更にロッドが、緩衝部材を支持するために提供され且つトレッドベースに滑動可能又は回転可能に受容され且つ支持されてもよい。トレッドベースは、２つのサイドビームを含み、各サイドビームは、ロッドの端部を受容するチャネルを有する。
【００１０】
ロッドは、ロッド上に回転可能に配置され且つ緩衝部材に連結される少なくとも１つの歯車、及びトレッドベースに取り付けられ且つ歯車と係合する少なくとも１つのラックを含み、それにより、歯車がラックに対して移動するときに歯車及び緩衝部材をトレッドベースに対して回転させる。カラーが、ロッド上に回転可能に配置され且つ緩衝部材及び歯車に連結される。
【００１１】
ロッドをトレッドベースに対して移動させる移動装置を、更に提供してもよい。たとえば、移動手段は、ロッドとトレッドベースとの間に連結した作動器を含み、それにより、ロッドをトレッドベースに対して移動させる。
【００１２】
緩衝部材は、異なった弾性を緩衝部材に形成する１つ又は複数の湾曲した開先を含む。緩衝部材の湾曲した開先の夫々は、より幅広の端部からより狭い端部へと変化する深さを含み、それにより、異なった弾性を緩衝部材に形成する。
【００１３】
本考案の更なる目的及び利点は、添付の図面を適切に参照するとともに、以下に記載の詳細な説明を熟読することで明らかになろう。
【考案を実施するための最良の形態】
【００１４】
図面を参照し、最初に図１〜図７を参照すると、本考案によるトレッドミルは、２つのサイドビーム１１、及び１つ又は複数のバー１２を含むトレッドベース１０を備える。バー１２は、トレッドベース１０上のトレッドデッキ２０（図４〜図８）を支持するビーム１１間に横方向に配列されるか又はまたがる。トレッドベース１０は、正面部分から上方に伸びる典型的な支持１３（図１）を含んでもよく、支持１３は、典型的な制御パネル又は制御装置１４を支持する。制御パネル又は制御装置１４は、典型的にはトレッドミルを制御するために提供される。
【００１５】
トレッドベース１０は更に、典型的なエンドレスベルト（図示せず）を含んでもよい。エンドレスベルトは、トレッドデッキ２０上又はトレッドデッキ２０周りに係合し、且つトレッドデッキ２０周りを移動可能であり、利用者が、ジョギング又はランニング運動を行なうことを可能にする。トレッドベース１０は更に、典型的な電力又はモータ駆動装置（図示せず）を含んでもよい。電力又はモータ駆動装置は、エンドレスベルトを回転又は駆動させる。トレッドベース１０は更に、典型的な折り畳み構造を含んでもよい。折り畳み構造は、トレッドミルを、小型の折り畳み構成又は格納構成に折り畳むことを可能にする。上述したトレッドミルの構成は、典型であり、更に詳細には説明しない。
【００１６】
本考案によるトレッドミルは、変更可能又は調節可能な懸架システム３０であって、トレッドデッキ２０を変更可能又は調節可能に支持し且つ利用者による調節が可能な衝撃抑制を提供するための懸架システム３０を提供する。たとえば、トレッドベース１０の１つ又は両方のサイドビーム１１は、各々が、長方形の穴又はチャネル１６を含み、チャネル１６は、中間又は中央の一部分１７に形成される。各サイドビームはまた、中間若しくは中央の一部分１７に取り付けられるか又は固定されるラック１８を含み、好ましくは、サイドビーム１１の夫々のチャネル１６に位置合わせされるか又は平行に配列される。
【００１７】
調節可能な懸架システム３０は、サイドビーム１１のチャネル１６に滑動可能及び／又は回転可能に受容された２つの端部３２（図７〜８）を有するロッド３１を含み、１つ又は複数、たとえば２つ等の入れ子又はカラー３３が、ロッド３１の端部３２等の上に回転可能に係合し、それによりカラー３３が、ロッド３１に対して回転することを可能にする。１つ又は複数、たとえば２つ等の歯車３５が、カラー３３上に取り付けられるか又は固定され、しかもカラー３３と協調して回転される。それにより、ラック１８の夫々にかみ合うか又は係合し、カラー３３及び歯車３５を、ロッド３１又はトレッドベース１０に対して回転させる。
【００１８】
調節可能な懸架システム３０は更に、１つ又は複数、たとえば２つ等の弾性部材又は緩衝部材３６を含み、弾性部材又は緩衝部材３６は、カラー３３上に取り付けられるか又は固定され、しかもカラー３３と協調して回転される。弾性部材又は緩衝部材３６は、ゴム又は合成材料からなってもよく、トレッドデッキ２０下に配置されるか又は配列され、且つトレッドデッキ２０と係合する。それにより、トレッドデッキ２０を弾性的に緩衝し、且つ利用者によってトレッドデッキ２０上に与えられた衝撃荷重を吸収する。
【００１９】
各緩衝部材３６は、当該緩衝部材３６に形成された１つ又は複数、たとえば２つ等の対向する湾曲した開先３７（図７）を含み、各湾曲した開先３７は、段階的に変化した厚さ又は深さを有し、より幅広又はより大きい端部３８から、より狭い又はより小さい端部３９へと変化する。このことは、図３〜７に最もよく示され、厚さ又は深さが変化することで、異なった若しくは変化した弾性又は緩衝力を、各緩衝部材３６中又は緩衝部材３６周りに形成する。或いは、緩衝部材３６が、トレッドベース１０に対して回転されるとき、各緩衝部材３６が、異なった弾性をトレッドデッキ２０上に適用することを可能にする。
【００２０】
図１〜２及び図４〜図５に示すように、調節可能な懸架システム３０は更に、動力駆動若しくは作動若しくは移動の手段又は装置４０を含む。動力駆動又は移動装置４０は、ロッド３１に連結し且つたとえばバー１２のうち１つ等を連結器４１に枢着可能に連結する。動力駆動又は移動装置４０は、空気式若しくは水力式作動器、電動ボルトナット装置、ソレノイド作動装置、等から選択することができる。それにより、サイドビーム１１のチャネル１６に沿ってロッド３１を移動させ、且つこのようにして、緩衝部材３６をロッド３１又はトレッドベース１０に対して回転させる。このことは、異なった若しくは段階的に変化した厚さ又は深さの開先３７の位置を、変化又は調節させることが目的であり、それによって、トレッドデッキ２０に適用された緩衝部材３６の弾性又は緩衝力を、調節又は変化させる。
【００２１】
操作中、図４〜７に示すように、ロッド３１が、サイドビーム１１のチャネル１６に沿って移動又は滑動を引き起こすとき、ラック１８と歯車３５との間の係合は、歯車３５及びしたがって緩衝部材３６を、ロッド３１又はトレッドベース１０に対して回転を引き起こすことができる。図４〜５に示すように、ロッド３１が、サイドビーム１１のチャネル１６に沿って移動又は滑動を引き起こすとき、且つ歯車３５及び緩衝部材３６が、ロッド３１又はトレッドベース１０に対して回転を引き起こすとき、異なった若しくは段階的に変化した厚さ又は深さの開先３７は、トレッドデッキ２０に適用された緩衝部材３６の弾性又は緩衝力を変更することができる。
【００２２】
動力駆動若しくは作動若しくは移動の手段又は装置４０は、制御パネル又は制御装置１４を介して遠隔制御又はワイヤ制御によって制御できることが好ましく、それにより、利用者が、自身のジョギング又はランニング運動を中止することなく、トレッドデッキ２０に適用された緩衝部材３６の弾性又は緩衝力を容易に調節することを可能にする。
【００２３】
代替的に、図８及び図９に示すように、湾曲した開先３７は、緩衝部材３６の２つの側部を通って形成された単一の湾曲した開先３７であってもよく、且つ段階的に変化した厚さ又は深さをもまた含み、その厚さ又は深さは、より幅広若しくはより大きい端部３８からより狭い若しくはより小さい端部３９へと変化する。それにより緩衝部材３６が、トレッドベース１０に対して回転するとき、緩衝部材３６が、変化するか若しくは調節可能な弾性又は緩衝力をトレッドデッキ２０に適用することを可能にする。
【００２４】
更に代替的には、図１０に示すように、動力駆動若しくは作動若しくは移動の手段又は装置４０がないと、ノブ５０が、選択的にロッド３１に取り付けられてもよく、且つ歯車３５及び緩衝部材３６が、ロッド３１に固定され且つロッド３１と協調して回転されてもよい。それにより、ロッド３１及びしたがって緩衝部材３６を、トレッドベース１０に対して手動で回転させ、異なった若しくは段階的に変化した厚さ又は深さの開先３７の位置を、変更又は調節し、したがってトレッドデッキ２０に適用された緩衝部材３６の弾性又は緩衝力を、調節又は変更する。
【００２５】
したがって、本考案によるトレッドミルは、トレッドミルデッキを変更可能又は調節可能に支持し、且つ利用者による調節が可能な衝撃抑制を提供するための、変更可能又は調節可能な懸架システムを含む。
【００２６】
本考案を、或る程度詳細に説明してきたが、本開示は例示としてのみ成され、詳細な構成における様々な変更並びにパーツの組み合わせ及び配列は、添付の請求の範囲に記載されているような本考案の精神及び範囲から逸脱することなく、行使されてもよいことを理解されたい。
【図面の簡単な説明】
【００２７】
【図１】本考案によるトレッドミルの斜視図である。
【図２】トレッドミルのトレッドベースを示した斜視図である。
【図３】トレッドミルのトレッドベースの拡大された部分斜視図である。
【図４】図２の線４−４に沿って取得されたトレッドベースの部分断面図である。
【図５】トレッドミルの操作を示す図４に類似した部分断面図である。
【図６】図３に示すトレッドベースの部分平面概略図である。
【図７】図３の線７−７に沿って取得されたトレッドベースの部分断面図である。
【図８】トレッドミルの他の配列を示す、図７に類似した部分断面図である。
【図９】図８に示すトレッドベースの拡大部分斜視図である。
【図１０】トレッドミルの更なる配列を示す、図２に類似した斜視図である。
【符号の説明】
【００２８】
１０      トレッドベース
１１      サイドビーム
１２      バー
１３      支持
１４      制御装置
１６      チャネル
１７      中央の一部分
１８      ラック
２０      トレッドデッキ
３０      懸架システム
３１      ロッド
３２      端部
３３      カラー
３５      歯車
３６      緩衝部材
３７      湾曲した開先
３８      より大きい端部
３９      より小さい端部
４０      移動装置
４１      連結器
【図１】
0003125925.tif 000003
【図２】
0003125925.tif 000004
【図３】
0003125925.tif 000005
【図４】
0003125925.tif 000006
【図５】
0003125925.tif 000007
【図６】
0003125925.tif 000008
【図７】
0003125925.tif 000009
【図８】
0003125925.tif 000010
【図９】
0003125925.tif 000011
【図１０】
0003125925.tif 000012